(57)【要約】【課題】通気性に優れ、ムレや肌トラブルを効果的に防止しつつ排泄液の漏れをも防止し得るパンツ型使い捨ておむつを提供すること。【解決手段】外装体３における横方向Ｙに伸縮性を有する伸縮部の外層シート３１と内層シート３２との間に、胴回り弾性部材５が横方向Ｙに伸長した状態で縦方向Ｘに間欠配置され、外装体収縮領域３５が形成されている。外装体収縮領域３５の肌対向面側に、縦方向Ｘに延びる畝部３６と溝部３７とが横方向Ｙに交互に配されている。外装体収縮領域３５における吸収体２３の縦方向端部より外方位置の溝部３７において、シート３１，３２が貫通孔３３を有している。表面シート２の肌対向面に、凸部２１０と縦方向Ｘに延びる凹部２１１とが複数形成されており、凹部２１１が溝部３７と横方向Ｙにおいて同位置に存している。【選択図】図７
2017099854.tif 000002
【特許請求の範囲】
【請求項１】
着用者の腹側に配される腹側部及び背側に配される背側部とそれらの間に位置する股下部とを有すると共に、該腹側部から該股下部を介して該背側部に延びる縦方向とこれに直交する横方向とを有し、且つ
吸収体及び該吸収体の肌対向面側に配された表面シートを有する吸収性本体と、該吸収性本体の非肌対向面側に位置して該吸収性本体を固定している外装体とを有し、前記腹側部における該外装体及び前記背側部における該外装体それぞれの縦方向に沿う両側縁部どうしが接合されてウエスト開口部及び一対のレッグ開口部が形成されているパンツ型使い捨ておむつであって、
前記外装体は、前記吸収性本体から相対的に遠い側に位置する外層シートと、該吸収性本体から相対的に近い側に位置する内層シートとを含んで構成され、且つ前記腹側部及び前記背側部の少なくとも一方に、横方向に伸縮性を有する伸縮部を有し、
前記伸縮部における前記外層シートと前記内層シートとの間に、複数の胴回り弾性部材が横方向に伸長した状態で縦方向に間欠的に配されており、それら複数の胴回り弾性部材のうちの一部は、平面視において前記吸収体の縦方向端部と重なる部分を通って該縦方向端部を横方向に横断しており、
前記伸縮部の前記胴回り弾性部材の収縮により、該伸縮部が横方向に収縮した外装体収縮領域が形成され、該外装体収縮領域の肌対向面側に、縦方向に延びる畝部と溝部とが横方向に交互に配された凹凸構造が形成されており、
前記外装体収縮領域における前記外層シート及び前記内層シートの少なくとも一方は、前記吸収体の縦方向端部より縦方向外方に存する前記溝部に、厚み方向に貫通する貫通孔を有しており、
前記表面シートの肌対向面に、着用者の肌側に向かって突出する凸部が複数形成されていると共に、横方向において隣り合う該凸部どうしの間に位置して縦方向に延びる凹部が複数形成されており、複数の該凹部の少なくとも一部は、前記外装体収縮領域の前記溝部と横方向において同位置に存しているパンツ型使い捨ておむつ。
【請求項２】
前記表面シートは、平面視において前記外装体収縮領域に存する前記吸収体の縦方向端部と重なる請求項１に記載のパンツ型使い捨ておむつ。
【請求項３】
前記吸収体は、吸収性材料を含む吸収性コアを有し、前記表面シートは、該吸収性コアの縦方向端部より縦方向外方に延出する部分を有し、平面視においてその表面シートの延出部と前記胴回り弾性部材とが重なる請求項１又は２に記載のパンツ型使い捨ておむつ。
【請求項４】
前記貫通孔は、複数の前記胴回り弾性部材のうちで平面視において前記吸収体の縦方向端部と重ならず且つ該吸収体の縦方向端部に最も近接する弾性部材と、該吸収体の縦方向端部との間に存している請求項１〜３の何れか一項に記載のパンツ型使い捨ておむつ。
【請求項５】
前記外層シート及び前記内層シートの双方が前記貫通孔を複数有し、双方の貫通孔の少なくとも一部どうしが重なっている請求項１〜４の何れか一項に記載のパンツ型使い捨ておむつ。
【請求項６】
前記外装体収縮領域において、前記外層シート及び前記内層シートは、縦方向及び横方向の両方向において間欠的に配置された複数の外装体接合部にて互いに接合され、前記胴回り弾性部材は、該外装体接合部を通らないように配されている請求項１〜５の何れか一項に記載のパンツ型使い捨ておむつ。
【請求項７】
前記外装体収縮領域において、前記外層シート及び前記内層シートは、縦方向及び横方向の両方向において間欠的に配置された複数の外装体接合部にて互いに接合され、前記貫通孔は、該外装体接合部を厚み方向に貫通している請求項５又は６に記載のパンツ型使い捨ておむつ。
【請求項８】
前記外装体収縮領域において前記表面シートの肌対向面が疎水性シートで被覆されている請求項１〜７の何れか一項に記載のパンツ型使い捨ておむつ。
【請求項９】
前記疎水性シートは、前記表面シートと前記凸部で接合され、前記凹部では接合されていない請求項８に記載のパンツ型使い捨ておむつ。
【請求項１０】
前記疎水性シートと前記表面シートとの接合部は、縦方向に間欠的に配されている請求項９に記載のパンツ型使い捨ておむつ。
【請求項１１】
前記疎水性シートの縦方向内方側の端部は、前記表面シートと接合されておらず、自由端部となっている請求項８〜１０の何れか一項に記載のパンツ型使い捨ておむつ。
【請求項１２】
前記疎水性シートは、横方向に伸縮性を有する不織布からなる請求項８〜１１の何れか一項に記載のパンツ型使い捨ておむつ。
【発明の詳細な説明】
【技術分野】
【０００１】
本発明は、ウエスト開口部及び一対のレッグ開口部が形成されているパンツ型使い捨ておむつに関する。
【背景技術】
【０００２】
従来、液保持性の吸収体及び該吸収体の肌対向面側に配された表面シートを有する吸収性本体と、該吸収性本体の非肌対向面側に位置して該吸収性本体を固定している外装体とを有し、該外装体が、該吸収性本体に接合される内層シートと該内層シートの非肌対向面に接合された外層シートとの積層構造を有しているパンツ型使い捨ておむつが知られている。外装体としては、おむつのフィット性の向上等の観点から、おむつの着用者の前後方向（おむつの縦方向）と直交する方向（おむつの横方向）に伸縮性を有する伸縮性シートが用いられる場合がある。
【０００３】
例えば特許文献１には、前記構成のパンツ型使い捨ておむつにおいて、内層シートと外層シートとの間における着用者の胴回りに対応する部分に、複数本の胴回り弾性部材を横方向に伸長状態で配し、且つその複数本の胴回り弾性部材のうちの一部を、平面視において吸収性コアの縦方向端部と重なるように配置することが記載されている。斯かる胴回り弾性部材の配置形態を採用することで、吸収性コアの縦方向端部が位置する部位を着用者の肌に密着させやすくなり、液漏れ防止等の点で利点がある。尚、特許文献１は、斯かる胴回り弾性部材の配置形態の採用に起因して生じる、吸収性コアに皺が発生しやすくなる、という不都合の解消を主たる目的としたもので、その具体的な課題解決手段は吸収性コアに関するものであり、通気性の課題やそれに関連する表面シートの改良等については具体的に記載されていない。
【０００４】
また、特許文献２には、相対的に目付の高い凸状部と目付の低い凹状部が交互に配されて凹凸が形成されたシートを凸状部が肌側になるような表面シートとして使用した紙おむつについて記載されている。斯かる表面シートでは、尿などの排泄液が目付の低い溝部に落とし込まれ速やかに吸収される。また、凸状部における側部は、繊維同士が密集しているため剛性が高く、さらに凸状部において側部に挟まれた中央部には、厚さ方向に配向する繊維が多く含まれているため、荷重が凸状部に加わっても容易に潰されにくい利点が提示されている。しかし、この構造における凹状部の溝により、肌との間に隙間が生じ尿などの排泄液がモレやすくなる欠点については解消の手段を提示されていない。
【先行技術文献】
【特許文献】
【０００５】
【特許文献１】特開２０１３−２５５５６１号公報
【特許文献２】特開２００８−２５０７９号公報
【発明の概要】
【発明が解決しようとする課題】
【０００６】
使い捨ておむつにおいては、吸収体に吸収保持された尿等の排泄液が、着用者の体温によって肌対向面側から蒸発して水蒸気として着用者の肌側に排出され、その結果、着用中のおむつの内部空間、即ち着用者の肌とおむつの肌対向面との間がムレた状態となり、それによって、かゆみ、カブレ等の肌トラブルが生じるおそれがある。特に特許文献１に記載の如き、横方向に伸縮性を有する胴回り弾性部材を備えたパンツ型使い捨ておむつにおいては、着用中に胴回り弾性部材の収縮に伴って外装体が横方向に収縮したときに、外装体に固定されている吸収性本体、特に胴回り弾性部材と平面視において重なる部分も横方向に収縮して着用者の肌に接触し、それによって、おむつ内に存する水蒸気の縦方向の移行が阻害されてしまうため、水蒸気がウエスト開口部を介しておむつ外へ排出され難くなり、ムレを誘発するおそれがある。このような、吸収性本体の収縮に起因する通気性の阻害を防止する方法として、例えば、胴回り弾性部材における平面視において吸収性本体と重なる部分を切断し、胴回り弾性部材の横方向の伸縮性の発現を抑制する方法が考えられるが、その方法では、吸収性本体が外装体から浮き上がるおそれがあり、その吸収性本体の浮き上がりによって、ムレ発生の原因となる水蒸気の排出が妨げられるだけでなく、排泄液の漏れを誘発するおそれもある。
【０００７】
従って本発明の課題は、通気性に優れ、ムレや肌トラブルを効果的に防止しつつ排泄液の漏れをも防止し得るパンツ型使い捨ておむつを提供することに関する。
【課題を解決するための手段】
【０００８】
本発明は、着用者の腹側に配される腹側部及び背側に配される背側部とそれらの間に位置する股下部とを有すると共に、該腹側部から該股下部を介して該背側部に延びる縦方向とこれに直交する横方向とを有し、且つ
吸収体及び該吸収体の肌対向面側に配された表面シートを有する吸収性本体と、該吸収性本体の非肌対向面側に位置して該吸収性本体を固定している外装体とを有し、前記腹側部における該外装体及び前記背側部における該外装体それぞれの縦方向に沿う両側縁部どうしが接合されてウエスト開口部及び一対のレッグ開口部が形成されているパンツ型使い捨ておむつであって、
前記外装体は、前記吸収性本体から相対的に遠い側に位置する外層シートと、該吸収性本体から相対的に近い側に位置する内層シートとを含んで構成され、且つ前記腹側部及び前記背側部の少なくとも一方に、横方向に伸縮性を有する伸縮部を有し、
前記伸縮部における前記外層シートと前記内層シートとの間に、複数の胴回り弾性部材が横方向に伸長した状態で縦方向に間欠的に配されており、それら複数の胴回り弾性部材のうちの一部は、平面視において前記吸収体の縦方向端部と重なる部分を通って該縦方向端部を横方向に横断しており、
前記伸縮部の前記胴回り弾性部材の収縮により、該伸縮部が横方向に収縮した外装体収縮領域が形成され、該外装体収縮領域の肌対向面側に、縦方向に延びる畝部と溝部とが横方向に交互に配された凹凸構造が形成されており、
前記外装体収縮領域における前記外層シート及び前記内層シートの少なくとも一方は、前記吸収体の縦方向端部より縦方向外方に存する前記溝部に、厚み方向に貫通する貫通孔を有しており、
前記表面シートの肌対向面に、着用者の肌側に向かって突出する凸部が複数形成されていると共に、横方向において隣り合う該凸部どうしの間に位置して縦方向に延びる凹部が複数形成されており、複数の該凹部の少なくとも一部は、前記外装体収縮領域の前記溝部と横方向において同位置に存しているパンツ型使い捨ておむつを提供するものである。
【発明の効果】
【０００９】
本発明によれば、通気性に優れ、ムレや肌トラブルを効果的に防止しつつ排泄液の漏れをも防止し得るパンツ型使い捨ておむつが提供される。
【図面の簡単な説明】
【００１０】
【図１】図１は、本発明のパンツ型使い捨ておむつの一実施形態を模式的に示す斜視図である。
【図２】図２は、図１に示すおむつの展開且つ伸長状態における肌対向面側（内面側）を模式的に示す展開平面図である。
【図３】図３は、図１に示すおむつを分解して模式的に示す分解斜視図である。
【図４】図４は、図２のＩ−Ｉ線断面を模式的に示す縦断面図である。
【図５】図５は、図２のＩＩ−ＩＩ線断面を模式的に示す横断面図である。
【図６】図６は、図１に示すおむつの自然状態又は着用状態における図２のＩ−Ｉ線断面を模式的に示す横断面図である。
【図７】図７は、図１に示すおむつの自然状態又は着用状態における吸収性本体の縦方向端部及びその近傍を模式的に示す斜視図である。
【図８】図８は、図１に示すおむつの自然状態又は着用状態における外装体収縮領域を模式的に示す斜視図である。
【図９】図９は、図１に示すおむつの外装体を模式的に示す平面図である。
【図１０】図１０は、図１に示すおむつの外装体を構成する外層シートの一例を模式的に示す一部破断斜視図である。
【発明を実施するための形態】
【００１１】
以下本発明を、その好ましい実施形態に基づき図面を参照しながら説明する。図１〜図７には、本発明のパンツ型使い捨ておむつの一実施形態であるパンツ型使い捨ておむつ１の概略構成及び要部の構成が示されている。おむつ１は、着用者の腹側に配される腹側部１Ａ及び背側に配される背側部１Ｃとそれらの間に位置する股下部１Ｂとを有すると共に、腹側部１Ａから股下部１Ｂを介して背側部１Ｃに延びる縦方向Ｘとこれに直交する横方向Ｙとを有している。
【００１２】
おむつ１は、吸収体２３及び該吸収体２３の肌対向面側に配された表面シート２１を有する吸収性本体２と、該吸収性本体２の非肌対向面側に位置して該吸収性本体２を固定している外装体３とを有し、腹側部１Ａにおける外装体３及び背側部１Ｃにおける外装体３それぞれの縦方向Ｘに沿う両側縁部どうしが接合されて、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１３】
本明細書において、「肌対向面」は、使い捨ておむつ又はその構成部材（例えば表面シート）における、おむつの着用時に着用者の肌側に向けられる面、即ち相対的に着用者の肌に近い側であり、「非肌対向面」は、使い捨ておむつ又はその構成部材における、おむつの着用時に肌側とは反対側（着衣側）に向けられる面、即ち相対的に着用者の肌から遠い側である。尚、ここでいう「着用時」は、通常の適正な着用位置、即ち当該使い捨ておむつの正しい着用位置が維持された状態を意味し、おむつが該着用位置からずれた状態にある場合は含まない。
【００１４】
腹側部１Ａ及び背側部１Ｃは、何れも縦方向Ｘにおいてサイドシール部Ｓと同位置にある部分であり、おむつ１の着用時に着用者の胴回りに配される胴回り部である。股下部１Ｂは、外装体３の縦方向Ｘに沿う両側縁部にレッグ開口部ＬＨ，ＬＨ形成用の凹欠部が形成されている領域である。股下部１Ｂは、おむつ１の着用時に着用者の排泄部に対向配置される排泄部対向部を有しており、該排泄部対向部は通常、おむつ１の縦方向Ｘの中央部又はその近傍に位置している。
【００１５】
吸収性本体２は、図２に輪郭線で示したように平面視長方形形状をなし、その長手方向を展開且つ伸長状態におけるおむつ１の縦方向Ｘに一致させて、外装体３の横方向Ｙの中央部に固定されている。外装体３は、図２に示す如きおむつ１の展開且つ伸長状態のおむつ１の外形を形作っており、外装体３の周縁は、その状態のおむつ１の輪郭線を形成している。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１６】
吸収性本体２は、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。吸収体２３は、おむつ１（外装体３）の横方向Ｙの中央部に位置している。表面シート２１及び裏面シート２２としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。
【００１７】
吸収体２３は、図２に示す如き平面視において縦方向Ｘに略長方形形状をなし、腹側部１Ａから背側部１Ｃにわたって延在している。吸収体２３は、吸収性材料を含む液保持性の吸収性コア２４と、該吸収性コア２４の肌対向面及び非肌対向面を被覆するコアラップシート２５とを含んで構成されている。吸収性コア２４とコアラップシート２５との間は、ホットメルト型接着剤等の公知の接合手段により接合されている。
【００１８】
吸収性コア２４は単層構造であり、吸収性材料を含むコア形成材料が積繊されてなる。吸収性材料としては、この種の吸収性コアの形成材料として通常用いられるものを特に制限なく用いることができ、例えば、木材パルプ、親水化剤により処理された合繊繊維等の親水性繊維や吸水性ポリマー粒子が挙げられる。即ち、吸収性コア２４は、親水性繊維の積繊体、あるいは該積繊体に吸水性ポリマー粒子を担持させたものであり得る。コアラップシート２５としては、透水性のシート材を用いることができ、例えば、紙、不織布等を用いることができる。
【００１９】
図２及び図５に示すように、吸収性本体２の肌対向面における縦方向Ｘに沿う左右両側部には、液抵抗性又は撥水性で且つ通気性のシート材から構成された一対の防漏カフ２８，２８が設けられている。各防漏カフ２８の自由端部の近傍には糸状の防漏カフ形成用弾性部材２９が１本以上（本実施形態では１本）伸長状態で配されている。防漏カフ２８は、伸長状態で配された弾性部材２９がおむつ１の着用時に収縮することによって少なくとも股下部１Ｂで起立し、それによって尿等の排泄液の横方向Ｙの外方への流出を阻止する。
【００２０】
外装体３は、図２に示すように、前身頃の胴回り部である腹側部１Ａ、及び後身頃の胴回り部である背側部１Ｃ、腹側部１Ａと背側部１Ｃとに挟まれた股下部１Ｂにわたって配されており、その縦方向Ｘに沿う両側縁が股下部１Ｂにおいて内向きの円弧状に湾曲して一対のレッグ縁部を形成しており、図２に示す如き平面視において、縦方向Ｘの中央域が横方向Ｙの内方に向けて括れた砂時計状の形状を有している。外装体３は、腹側部１Ａにおける縦方向Ｘに沿う両側縁部Ａ１，Ａ２と背側部１Ｃにおける縦方向Ｘに沿う両側縁部Ｃ１，Ｃ２とが、接着剤、ヒートシール、超音波シール等の公知の接合手段によって互いに接合されており、その接合によって、図１に示すように、おむつ１に一対のサイドシール部Ｓ，Ｓが形成され、さらにウエスト開口部ＷＨ及び一対のレッグ開口部ＬＨ，ＬＨが形成されている。外装体３におけるレッグ開口部ＬＨの開口縁部を構成する部位には、レッグギャザーを形成するレッグ弾性部材４が伸長状態で配されている。レッグ弾性部材４は、糸状又は帯状であり、外装体３を構成する外層シート３１と内層シート３２との間に接着剤により挟持固定されている。
【００２１】
外装体３は、図３〜図５に示すように、吸収性本体２から相対的に遠い側に位置する外層シート３１と、吸収性本体２から相対的に近い側に位置する内層シート３２とを含んで構成されている。おむつ１の着用状態において、内層シート３２は着用者の身体に近い側に位置して、おむつ１の肌対向面（内面）を形成し、外層シート３１は着用者の身体から遠い側に位置して、おむつ１の非肌対向面（外面）を形成する。外層シート３１と内層シート３２とは、所定の部位において接着剤等の公知の接合手段により互いに接合されている。
【００２２】
外層シート３１は、内層シート３２と同形状・同寸法の部分に加えて更に、両シート３１，３２を積層した際に内層シート３２の腹側部１Ａ側の縦方向Ｘの端部から外方に延出する腹側延出部３１Ｅと、内層シート３２の背側部１Ｃ側の縦方向Ｘの端部から外方に延出する背側延出部３１Ｅとを有している。外層シート３１の両延出部３１Ｅ，３１Ｅは、それぞれ、図２に示すように、内層シート３２上に配置固定された吸収性本体２の縦方向Ｘの両端部を覆うように、内層シート３２側に折り返され、接着剤によって、両延出部３１Ｅ，３１Ｅと対向するおむつ１の他の構成部材（内層シート３２、吸収性本体２、防漏カフ２８）に固定されている。この外層シート３１の延出部３１Ｅは、後述する疎水性シートとして機能する。
【００２３】
外装体３は、腹側部１Ａ及び背側部１Ｃの少なくとも一方に、横方向Ｙに伸縮性を有する伸縮部を有している。ここでいう「外装体の伸縮部」とは、外装体３における横方向Ｙに伸縮性を有する部位であり、本実施形態においては、外装体３における腹側部１Ａ及び背側部１Ｃに位置する部分が伸縮部である。さらに説明すると、本実施形態においては、外装体３を構成する外層シート３１及び内層シート３２は、何れも伸縮性を有していない非伸縮性シートであるが、腹側部１Ａ及び背側部１Ｃそれぞれにおける両シート３１，３２間には後述するように、複数の胴回り弾性部材５が横方向Ｙに伸長した状態で配されており、その複数の胴回り弾性部材５の横方向Ｙの伸縮性によって、「外装体３における腹側部１Ａに位置する部分」及び「外装体３における背側部１Ｃに位置する部分」が、それぞれ、その全域にわたって横方向Ｙに伸縮性を有し、前記「伸縮部」となっている。
【００２４】
図２〜図４に示すように、前記「伸縮部」即ち外装体３の腹側部１Ａ及び背側部１Ｃに位置する部分における、外層シート３１と内層シート３２との間には、複数の胴回り弾性部材５が横方向Ｙに伸長した状態で縦方向Ｘに間欠的に配されており、それら複数の胴回り弾性部材５のうちの一部は、平面視において吸収体２３の縦方向端部２３０と重なる部分を通って該縦方向端部２３０を横方向Ｙに横断している。より具体的には、腹側部１Ａ及び背側部１Ｃには、外装体３の縦方向端３Ｘ（即ちウエスト開口部ＷＨの開口縁）より縦方向Ｘの内方位置に、吸収性本体２の縦方向端２Ｘが存しており、つまり腹側部１Ａ及び背側部１Ｃは、それぞれ、縦方向Ｘの最外方に位置する吸収性本体非存在領域１０と、該領域１０より縦方向Ｘの内方に位置する吸収性本体存在領域１１とに縦方向Ｘに区分されるところ、胴回り弾性部材５は両領域１０，１１の両方に配されている。尚、吸収体２３の縦方向端部２３０は、吸収体２３の輪郭の一部を形成する縦方向端及びその近傍を含む部位であり、また、本実施形態においては、吸収体２３の縦方向端は図４に示すように、吸収性本体２の縦方向端２Ｘと縦方向Ｘにおいて同位置にある。
【００２５】
そして、おむつ１の自然状態又は着用状態においては、図６及び図７に示すように、前記「伸縮部」即ち外装体３の腹側部１Ａ及び背側部１Ｃに位置する部分の胴回り弾性部材５の収縮により、該「伸縮部」が横方向Ｙに収縮した外装体収縮領域３５が形成され、該外装体収縮領域３５の肌対向面側に、縦方向Ｘに延びる畝部３６と溝部３７とが横方向Ｙに交互に配された凹凸構造が形成される。つまり、外装体収縮領域３５は前記「伸縮部」である。尚、図６及び図７では腹側部１Ａのみを示しているが、背側部１Ｃにおいても腹側部１Ａと同様に外装体収縮領域３５が形成される。尚、図６と同じ部位を示す図５は、図２に示す展開且つ伸長状態のおむつ１の一部を示す図であるところ、図５に示す形態においては、外装体３及び胴回り弾性部材５が横方向Ｙに伸長状態であるため、外装体収縮領域３５は形成されていない。
【００２６】
外装体収縮領域３５は、腹側部１Ａ及び背側部１Ｃそれぞれにおいて、少なくとも胴回り弾性部材５の配置領域に形成される。本実施形態において外装体収縮領域３５は、吸収性本体非存在領域１０及び吸収性本体存在領域１１それぞれの全域に形成され、図６に示すように、吸収性本体存在領域１１における平面視において吸収性本体２と重なる部位にも形成される。腹側部１Ａ及び背側部１Ｃにおいて外装体収縮領域３５が形成される、換言すれば、腹側部１Ａ及び背側部１Ｃに存する外装体３即ち前記「伸縮部」が横方向Ｙに収縮すると、図６に示すように、外装体３と直接又は間接に一体化されている他のおむつ構成部材（裏面シート２２、吸収体２３、表面シート２１、外層シート３１の延出部３１Ｅ）も横方向Ｙに収縮する。図７には、この外層シート３１の延出部３１Ｅの横方向Ｙの収縮状態が模式的に示されているところ、斯かる延出部３１Ｅの収縮状態は外装体３の収縮状態と実質的に同じであり、延出部３１Ｅには図７に示すように、横方向Ｙに収縮状態の外装体３が有する凹凸構造（図８参照）と同様の凹凸構造が形成される。
【００２７】
図８には、おむつ１の自然状態又は着用状態における外装体収縮領域３５の一部が示されている。図６及び図８に示すように、本実施形態において外装体収縮領域３５は、肌対向面即ち吸収性本体２の配置面側のみならず非肌対向面にも、縦方向Ｘに延びる畝部３６と溝部３７とが横方向Ｙに交互に配された凹凸構造が形成される。肌対向面側の畝部３６と非肌対向面側の畝部３６とは横方向Ｙにおいて同位置にあり、また、肌対向面側の溝部３７と非肌対向面側の溝部３７とも横方向Ｙにおいて同位置にある。
【００２８】
本実施形態においては、少なくとも腹側部１Ａ及び背側部１Ｃにおける外装体３は、図８及び図９に示すように、外層シート３１及び内層シート３２が、縦方向Ｘ及び横方向Ｙの両方向において間欠的に配置された複数の外装体接合部３８にて互いに接合され、胴回り弾性部材５は、外装体接合部３８を通らないように配されている。複数の胴回り弾性部材５は、それぞれ、その長さ方向の両端部、具体的にはサイドシール部Ｓ又はその近傍に位置する部分のみにおいて両シート３１，３２に接合されており、それ以外の部分では両シート３１，３２に接合されていない。このような構成の外装体３において、外層シート３１及び内層シート３２それぞれは、おむつ１の自然状態又は着用状態において、複数の胴回り弾性部材５に跨って縦方向Ｘに連続して延びる複数本の襞を形成する。そして、この襞が外装体収縮領域３５における畝部３６となり、襞と襞との間が外装体収縮領域３５における溝部３７となる。尚、以上のような襞を有する外装体としては、例えば、本出願人の先の出願に係る特開２００９−１１８９８６号公報に記載の複合伸縮部材を適用することができる。
【００２９】
本実施形態においては、吸収体２３の縦方向端部２３０の配置領域及びその近傍、特に、吸収体２３における縦方向端及びその近傍（吸収性本体２における縦方向端２Ｘ及びその近傍）において、外装体収縮領域３５がより確実に形成されるような工夫がなされている。
即ち、図４に示すように、表面シート２１は、吸収性コア２４の縦方向端部より縦方向Ｘの外方に延出する延出部２１Ｅを有し、図２に示す如き平面視においてその延出部２１Ｅと胴回り弾性部材５とが重なっている。より具体的には、本実施形態においては図４に示すように、表面シート２１のみならず、裏面シート２２及びコアラップシート２５も、吸収性コア２４の縦方向端部より縦方向Ｘの外方に延出する延出部を有している。そして、それら各シート２１，２２，２５の延出部の延出方向先端は縦方向Ｘにおいて互いに同位置にあり、吸収性本体２の縦方向端２Ｘを形成している。また、吸収体２３の縦方向端は、吸収体２３の構成部材のうちで最も縦方向Ｘの外方に位置するコアラップシート２５の縦方向端であり、これは吸収性本体２の縦方向端２Ｘに一致する。つまり、吸収体２３における縦方向端及びその近傍（吸収性本体２における縦方向端２Ｘ及びその近傍）には、剛性の高い吸収性コア２３が配されていない領域があるところ、その吸収性コア非配置領域を胴回り弾性部材５が横方向Ｙに横断している。斯かる構成により、吸収体２３における縦方向端及びその近傍は、おむつ１の自然状態又は着用状態において胴回り弾性部材５が横方向Ｙに収縮したときに、同方向により一層収縮しやすくなるため、吸収体２３の縦方向端部２３０の配置領域及びその近傍に、畝部３６及び溝部３７の高低差がよりはっきりした凹凸構造を有する外装体収縮領域３５が形成されやすくなる。そして、そのような凹凸構造の高低差が明確な外装体収縮領域３５の形成は、後述する表面シート２１の肌対向面の凸部２１０及び凹部２１１からなる凹凸構造と相俟って、おむつ１の通気性の一層の向上に寄与し得る。
【００３０】
図４及び図７に示すように、外装体収縮領域３５における外層シート３１及び内層シート３２は、吸収体２３の縦方向端部２３０（吸収性本体２の縦方向端２Ｘ）より縦方向Ｘの外方に存する溝部３７に、両シート３１，３２を厚み方向に貫通する貫通孔３３を有している。本実施形態においては図７に示すように、１個の溝部３７に複数の貫通孔３３が縦方向Ｘに所定間隔を置いて間欠的に配置されている。尚、両シート３１，３２は、外装体収縮領域３５において畝部３６には貫通孔３３を有していない。
【００３１】
貫通孔３３は、おむつ１の着用中におけるムレの原因となる、尿等の排泄液由来の水蒸気の排出孔として機能する。斯かる貫通孔３３の蒸気排出機能を考慮すると、外層シート３１及び内層シート３２の双方が貫通孔３３を複数有している場合に、双方の貫通孔３３の少なくとも一部どうしが重なっていることが好ましく、双方の貫通孔３３の全部が１対１で互いに重なっていることがより好ましい。貫通孔３３の平面視形状は特に限定されず、円形状、三角形以上の多角形形状等、適宜選択し得る。また、外層シート３１と内層シート３２とで、貫通孔３３の平面視形状、寸法は同じでも良く、異なっていても良い。外層シート３１の貫通孔３３と内層シート３２の貫通孔３３とが互いに平面視同形状同寸法の場合、両貫通孔３３の重なり程度は、必ずしも完全に一致している必要は無く、部分的に重なっているのでも構わない。
【００３２】
本実施形態においては、貫通孔３３は図４に示すように、外層シート３１と内層シート３２とを接合する外装体接合部３８を厚み方向に貫通している。つまり、本実施形態においては、外層シート３１及び内層シート３２の双方が貫通孔３３を複数有し、且つ外層シート３１の１個の貫通孔３３と内層シート３２の１個の貫通孔３３とが外装体接合部３８位置にて重なっているとも言える。斯かる構成により、貫通孔３３の保形性が向上するため、おむつ１内の蒸気を貫通孔３３によって外部に排出することがより確実になされるようになり、ムレを効果的に防止し得る。
【００３３】
本実施形態においては、図４において符号３３’で示す貫通孔は、同図に示すように、複数の胴回り弾性部材５のうちで平面視において吸収体２３の縦方向端部２３０と重ならず且つ吸収体２３の縦方向端部２３０（吸収性本体２の縦方向端２Ｘ）に最も近接する胴回り弾性部材５’と、吸収体の縦方向端部２３０との間に存している。貫通孔３３’は、斯かる特定位置に配されていることで、貫通孔３３’より吸収体２３から遠い位置に配されている他の貫通孔３３に比して、特に保形性に優れており、そのためおむつ１の着用中において蒸気排出機能を安定的に発揮し得る。即ち、貫通孔３３が配されている外装体収縮領域３５では、おむつ１の着用中において胴回り弾性部材５の収縮により外装体３（腹側延出部３１Ｅ）が肌と密着するところ、その密着部位に位置する貫通孔３３は、外装体３の変形により閉塞して通気が妨げられるおそれがあるのに対し、貫通孔３３’は、該密着部位よりも吸収体２３に近い位置に配されていることで、高剛性で変形し難い吸収体２３の影響により閉塞し難く、それ故に通気が妨げられにくい。そのため、前述したムレ防止効果がより一層向上し得る。貫通孔３３’は、図示の形態では１個であるが、複数個あっても良い。尚、貫通孔３３’は、配置位置以外の点は貫通孔３３と同じである。
【００３４】
貫通孔３３による作用効果をより確実に奏させるようにする観点から、各部の寸法等は以下のように設定することが好ましい。
貫通孔３３の平面視における最大長さ（貫通孔３３が平面視円形状の場合は直径）は、好ましくは１ｍｍ以上、さらに好ましくは１．５ｍｍ以上、そして、好ましくは５ｍｍ以下、さらに好ましくは４ｍｍ以下である。
外装体収縮領域３５における貫通孔３３の単位面積当たりの数は、平面視１０ｍｍ四方の正方形形状の領域の面積を基準とした場合に、好ましくは１個以上、さらに好ましくは２個以上、そして、好ましくは１５個以下、さらに好ましくは１２個以下である。
【００３５】
以上のように、外装体３は、おむつ１の自然状態又は着用状態において、腹側部１Ａ及び背側部１Ｃに位置する部分（前記伸縮部）が横方向Ｙに収縮して、肌対向面側に畝部３６及び溝部３７からなる凹凸構造を有する外装体収縮領域３５を形成するのに対し、表面シート２も、これに対応する凹凸構造を肌対向面に有している。
【００３６】
即ち、図６及び図７に示すように、表面シート２１の肌対向面には、着用者の肌側に向かって突出する凸部２１０が複数形成されていると共に、横方向Ｙにおいて隣り合う凸部２１０，２１０どうしの間に位置して縦方向Ｘに延びる凹部２１１が複数形成されている。本実施形態における表面シート２１においては、縦方向Ｘに延びる凸部２１０と縦方向Ｘに延びる凹部２１１とが横方向Ｙに交互に配されることによって、該表面シート２１の肌対向面に凹凸構造が形成されている。凸部２１０及び凹部２１１は、何れも表面シート２１の縦方向Ｘの全長に亘って連続している。尚、表面シート２１は、少なくとも肌対向面にこのような凹凸構造が形成されていれば良く、表面シート２１の非肌対向面については、本実施形態のように凹凸構造が形成されていても良く、あるいは形成されていなくても良い。
【００３７】
尚、表面シート２１の凸部２１０及び凹部２１１からなる凹凸構造は、おむつ１の展開且つ伸長状態、即ち外装体３における胴回り弾性部材５が横方向Ｙに伸長した状態では、図５に示すように小凸部２１０’と小凹部２１１’とが横方向Ｙに交互に並ぶことで、表面シート２１全体として規則的な凹凸を有する波状をなしているが、おむつ１の自然状態又は着用状態、即ち胴回り弾性部材５が横方向Ｙに収縮した状態では、図６に示すように、外装体３と一体化されている他の構成部材と共に横方向Ｙに収縮し、それによって１個以上の小凸部２１０’と１個以上の小凹部２１１’とが組み合わされて１個の凸部２１０を形成すると共に、複数の小凹部２１１’の一部が、凸部２１０とは逆方向（吸収体２３側）に突出した凹部２１１となる。つまり、自然状態又は着用状態のおむつ１における表面シート２１の凸部２１０は、小凸部２１０’と小凹部２１１’との集合体であり、凸部２１０の外面（肌対向面）には、小凸部２１０’と小凹部２１１’とからなる比較的微細な凹凸が形成されている。そのため、凸部２１０とその外面を覆う後述する疎水性シート３１Ｅとは完全に密着せず、両者間には空間部が形成される。尚、小凹部２１１’と凹部２１１とは通常、形状及び／又は寸法が互いに異なるが、実質的に同じ場合もあり得る。
【００３８】
そして、本実施形態のおむつ１においては、図７に示すように、表面シート２１の複数の凹部２１１の少なくとも一部が、外装体収縮領域３５の溝部３７と横方向Ｙにおいて同位置に存している。即ち、表面シート２１の複数の凹部２１１の少なくとも一部については、凹部２１１の縦方向Ｘの延長線上に外装体収縮領域３５の溝部３７が存している。図７の形態では、表面シート２１の肌対向面の複数の凹部２１１それぞれが、外装体収縮領域３５の複数の溝部３７と１対１で対応しており、即ち、対応する１個の溝部３７と横方向Ｙにおいて同位置に存している。斯かる構成により、おむつ１の通気性が向上し、おむつ１の着用中に内部がムレた状態になり難く、そのため、かゆみ、カブレ等の肌トラブルの発生が効果的に防止される。
【００３９】
即ち、おむつ１においては、収縮状態の外装体３（外装体収縮領域３５）の溝部３７が、表面シート２１の凹部２１１と横方向Ｙにおいて同位置に存していることにより、吸収性本体２から外装体３の縦方向端３Ｘ（即ちウエスト開口部ＷＨの開口縁）にかけて、横方向Ｙにおいて互いに同位置にある凹部２１１と溝部３７とからなる、「縦方向Ｘに延びる通気路」が形成されるため、通気性が高められており、おむつ１の着用中に内部がムレた状態になり難い。つまり、おむつ１の着用中において、吸収性本体２の吸収体２３（吸収性コア２４）に吸収保持された尿や汗等の排泄液が着用者の体温によって蒸発し、表面シート２１から水蒸気として着用者の肌側に排出されても、その水蒸気は、凹部２１１及び溝部３７を通ってウエスト開口部ＷＨからおむつ１の外部に排出され、あるいはその途中の溝部３７に設けられた貫通孔３３からおむつ１の外部に排出されるため、おむつ１の着用中によってムレは生じにくく、着用者の肌トラブルを引き起こし難い。尚、通常、表面シート２１における凸部２１０と凹部２１１との間隔（凹凸ピッチ）は、外装体３における畝部３６と溝部３７との間隔（畝溝ピッチ）に比して小さいため、相対的に横方向Ｙの長さ即ち幅が大きい溝部３７は必ず、相対的に横方向Ｙの長さ即ち幅が短い凹部２１１と横方向Ｙにおいて同位置に存するが、逆の関係は必ずしも成り立たず、複数の凹部２１１の少なくとも一部が、溝部３７と横方向Ｙにおいて同位置に存するに留まる。具体的には、３個の凹部２１１のうちの１個が溝部３７と同位置に存することが好ましい。
【００４０】
ここでいう、「表面シート２１の凹部２１１が、外装体収縮領域３５（外装体３）の溝部３７と横方向Ｙにおいて同位置に存している」とは、凹部２１１を横方向Ｙに二分して縦方向Ｘに延びる仮想中心線を基準線として、その１本の基準線から横方向Ｙに１ｍｍ以内の領域を、溝部３７を横方向Ｙに二分して縦方向Ｘに延びる仮想中心線が通る場合を意味する。
【００４１】
また、おむつ１においては、胴回り弾性部材５が、平面視において吸収体２３の縦方向端部２３０と重なる部分を通ってこれを横方向Ｙに横断しているため、おむつ１の着用状態において外装体３（外装体収縮領域３５）が横方向Ｙに収縮したときに、吸収体２３即ち吸収性本体２が外装体３から浮き上がり難く、それによっても通気性の向上、ムレ防止、液漏れ防止が図られている。
【００４２】
また仮に、おむつ１の着用状態において、吸収性本体２が横方向Ｙに収縮することによって着用者の肌に接触し、あるいは吸収性本体２が外装体３から浮き上がって着用者の肌に接触したとしても、その肌との接触面である表面シート２１の肌対向面には、凸部２１０及び凹部２１１からなる凹凸構造が形成されているため、表面シート２１の肌対向面と着用者の肌とが全面的に隙間なく密着することがなく、それによっても通気性の向上、ムレ防止が図られている。表面シートの肌対向面が凹凸構造の無い平坦面では、その平坦面が着用者の肌に全面的に隙間なく密着するおそれがあり、ムレを防止できないおそれがある。
【００４３】
このような、おむつ１による作用効果をより確実に奏させるようにする観点から、各部の寸法等は以下のように設定することが好ましい。
表面シート２１の肌対向面において、横方向Ｙにおいて隣り合う凸部２１０，２１０それぞれの頂部（凸部において最も着用者の肌側に突出している部分）間の離間距離は、好ましくは１．５ｍｍ以上、さらに好ましくは２ｍｍ以上、そして、好ましくは５ｍｍ以下、さらに好ましくは４．５ｍｍ以下である。斯かる凸部２１０の頂部の横方向Ｙにおける離間距離は、凹部２１１の横方向Ｙの長さ即ち幅に密接に関係するものである。
凹部２１１の縦方向Ｘの長さは、好ましくは７ｍｍ以上、さらに好ましくは１０ｍｍ以上、そして、好ましくは６０ｍｍ以下、さらに好ましくは５０ｍｍ以下である。
おむつ１の自然状態又は着用状態において、吸収性本体２の縦方向端２Ｘ位置での表面シート２１の凹部２１１の数は、好ましくは１５本以上、さらに好ましくは２０本以上、そして、好ましくは５０本以下、さらに好ましくは４０本以下である。
【００４４】
腹側部１Ａ又は背側部１Ｃに存する胴回り弾性部材５の数は、好ましくは１０本以上、さらに好ましくは１２本以上、そして、好ましくは３５本以下、さらに好ましくは３０本以下である。
腹側部１Ａ又は背側部１Ｃにおいて、平面視において吸収体２３と重なる部分を通って該吸収体２３を横方向Ｙに横断する胴回り弾性部材５の数は、好ましくは１本以上、そして、好ましくは１５本以下、さらに好ましくは１２本以下である。
【００４５】
本実施形態のおむつ１においては、図２、図４及び図５に示すように、表面シート２１は、平面視において外装体収縮領域３５（吸収性本体非存在領域１０及び吸収性本体存在領域１１）に存する吸収体２３の縦方向端部２３０と重なり、且つ外装体収縮領域３５において表面シート２１の肌対向面が疎水性シート３１Ｅで被覆されている。本実施形態における疎水性シート３１Ｅは、前述したように、外層シート３１の一部である延出部３１Ｅである。
【００４６】
疎水性シート３１Ｅは、主として通気性の向上の観点から採用された、表面シート２１の肌対向面の凹凸構造に起因する弊害を除去し得るものである。即ち、表面シート２１の肌対向面に縦方向Ｘに延びる凹部２１１が形成されていると、通気性の点では有効である反面、凹部２１１が水蒸気の導通路としてのみならず、尿等の排泄液の導通路としても機能するおそれがあるため、排泄液が凹部２１１を通って外部へ漏れ出すおそれがあり、液漏れが懸念される。これに対し、図２、図４及び図５に示す如く、表面シート２１の凹凸構造の肌対向面が疎水性シート３１Ｅで被覆されていると、凹部２１１を通って縦方向Ｘに流れる排泄液を疎水性シート３１Ｅで堰き止めることが可能となり、液漏れが効果的に防止される。
【００４７】
疎水性シート３１Ｅは、表面シート２１に対し、凸部２１０より好ましくは凸部２１０の頂部で接合部６にて接合され、凹部２１１では接合されていない。斯かる構成により、表面シート２１の肌対向面が疎水性シート３１Ｅで被覆されても、表面シート２１の肌対向面における凹部２１１位置では疎水性シート３１Ｅとの間に空間が形成されるため、凹部２１１による通気路としての機能が阻害されるおそれが無い。疎水性シート３１Ｅと表面シート２１との接合は、ホットメルト型接着剤等の公知の接合手段により実施可能である。本実施形態においては、接合部６は接着剤塗布部である。
【００４８】
本実施形態においては、図４に示すように、疎水性シート３１Ｅと表面シート２１との接合部６は、縦方向Ｘに間欠的に配されている。より具体的には接合部６は、図５に示すように、疎水性シート３１Ｅと表面シート２１との重なり部分の横方向Ｙの全長にわたって連続する、平面視において横方向Ｙに延びる直線状をなしているところ、その直線状の接合部６が、縦方向Ｘに所定間隔を置いて複数（図４では３本）形成されている。接合部６は、それ自体で尿等の排泄液の堰き止め効果を奏し得るものであるところ、そのような機能を有する接合部６がこのように配置されていることにより、疎水性シート３１Ｅによる液漏れ防止効果と相俟って、液漏れが一層効果的に防止され得る。
【００４９】
また、本実施形態においては、図４に示すように、疎水性シート３１Ｅの縦方向Ｘの内方側の端部３１ＥＸは、表面シート２１と接合されておらず、自由端部となっている。斯かる構成により、疎水性シート３１Ｅの縦方向Ｘの内方側の端部３１ＥＸが肌側に立ち上がり、より尿等の排泄液の堰き止めやすいという効果が奏される。
【００５０】
本発明において、シートあるいはその一部の領域が親水性であるか疎水性であるかは、下記方法で測定される繊維の接触角に基づき判断される。具体的には、繊維の接触角が９０度未満であれば親水性、９０度以上であれば疎水性である。下記方法で測定される繊維の接触角が小さいほど親水性が高く（疎水性が低く）、該接触角が大きいほど親水性が低い（疎水性が高い）。本実施形態における疎水性シート３１Ｅは、その全域が、下記方法で測定される繊維の接触角が９０度以上である。
【００５１】
＜接触角の測定方法＞
測定対象のシート（不織布）の厚み方向に沿う断面が上面となるようにセットし、シートの厚み方向へシートの最表面から厚みの１／１０までの区間の繊維をランダムに複数サンプリングし、水の接触角を測定する。測定装置として、協和界面科学株式会社製の自動接触角計ＭＣＡ−Ｊを用いる。接触角の測定には蒸留水を用いる。インクジェット方式水滴吐出部（クラスターテクノロジー社製、吐出部孔径が２５μｍのパルスインジェクターＣＴＣ−２５）から吐出される液量を１５ピコリットルに設定して、水滴を、それぞれの繊維の中央の真上に滴下する。滴下の様子を水平に設置されたカメラに接続された高速度録画装置に録画する。録画装置は後に画像解析をする観点から、高速度キャプチャー装置が組み込まれたパーソナルコンピュータが望ましい。本測定では、１７ｍｓｅｃごとに画像が録画される。録画された映像において、繊維に水滴が着滴した最初の画像を、付属ソフトＦＡＭＡＳ（ソフトのバージョンは２．６．２、解析手法は液滴法、解析方法はθ／２法、画像処理アルゴリズムは無反射、画像処理イメージモードはフレーム、スレッシホールドレベルは２００、曲率補正はしない、とする）にて画像解析を行い、水滴の空気に触れる面と繊維とのなす角を算出し、接触角とする。繊維は、繊維長１ｍｍ程度に裁断し、該繊維を接触角計のサンプル台に載せて、水平に維持する。Ｎ＝５本の接触角を小数点以下１桁まで計測し、合計１０箇所の測定値を平均した値（小数点以下第１桁で四捨五入）を接触角と定義する。接触角の低いものほど親水性が高いことを意味する。測定環境は、室温２２±２℃、湿度６５±２％ＲＨとする。
【００５２】
尚、本実施形態における疎水性シート３１Ｅは、外層シート３１の一部であるが、本発明に係る疎水性シートはこれに限定されず、おむつ１の他の構成部材とは別体の疎水性シートであっても良い。本発明に係る疎水性シートとしては、横方向Ｙに伸縮性を有する不織布が好ましく用いられる。そのような伸縮性シートからなる疎水性シート３１Ｅを用いることによって、表面シート２１に対し、凸部２１０の頂部で接合部６にて接合され、凹部２１１では接合されず、表面シート２１の肌対向面における凹部２１１位置で、疎水性シート３１Ｅとの間に空間が形成されやすくなり、より凹部２１１による通気路としての機能が阻害されにくいという効果が奏される。
【００５３】
本明細書において「伸縮性シート」は、所定方向（例えば横方向）に伸縮性を有しているシートであり、より具体的には、所定方向（例えば横方向）の最大伸度が１００％以上で、該シートを該所定方向に伸度１００％まで伸長させた後、収縮させたときの伸長回復率（１００％伸長時の伸長回復率）が、少なくとも７０％以上のシートである。
【００５４】
横方向Ｙに伸縮性を有する疎水性シート３１Ｅは、横方向Ｙにおいて、縦方向Ｘよりも大きく伸長可能である。より具体的には外層シート３１は、横方向Ｙにおいては、大きく伸長し且つ伸長後に収縮する（最大伸度１００％以上且つ伸長回復率７０％以上）が、縦方向Ｘにおいては、わずかにしか伸長しない（例えば、最大伸度５０％以下）。シートの伸長回復率は、以下の測定方法により測定される。
【００５５】
＜伸長回復率の測定方法＞
測定対象のシートから長さ５０ｍｍ、幅２５ｍｍのサンプル片を用意する。引張試験機（株式会社オリエンテックの「テンシロン」ＲＴＣ−１１５０Ａ）のチャック間（チャック間隔Ｋ０）にサンプル片を固定し、引張速度３００ｍｍ／ｍｉｎでチャック間を拡げることでサンプル片を引っ張り、サンプル片の１００％伸長時の長さＫ２（＝Ｋ０×２）まで伸長させた後、引張速度と同速度でチャック間を狭めていき、引張応力が０になった時点でのサンプル片の長さを伸長回復後の長さＫ１とする。次式により、測定対象のシートの１００％伸長時の伸長回復率を算出する。
１００％伸長時の伸長回復率（％）＝〔（Ｋ２−Ｋ１）／（Ｋ２−Ｋ０）〕×１００
【００５６】
伸縮性の疎水性シート３１Ｅとしては、例えば（１）弾性繊維層の両面又は片面に伸長可能な繊維層が一体化されている伸縮性シート、（２）ネット状の弾性シートの両面又は片面に伸長可能な繊維層が一体化されている伸縮性シート、（３）弾性フィルムからなる弾性シートの両面又は片面に伸張可能な繊維層が一体化されている伸縮性シート、（４）互いに交差せずに一方向に延びるように配列した多数の弾性フィラメントが、実質的に非伸長状態で、それらの全長にわたり、伸長可能な不織布に接合されてなる伸縮性シート等を好ましく用いることができる。弾性繊維層と伸長可能な繊維層との一体化の方法としては、例えば、これらを積層して水流交絡したり、エアスルー等により繊維を交絡させる方法、ヒートエンボス、接着剤、超音波等によって接合させる方法が挙げられる。
【００５７】
図１０には、伸縮性の疎水性シート３１Ｅの好ましい一例が示されている。図１０に示す腹側外層シート３２Ａは、前記（４）の伸縮性シートに相当するもので、非弾性繊維を主体とする伸長可能な繊維層の一面に糸状の弾性フィラメントが接合した構成を有し、該繊維層としての２枚の繊維シート３１０，３１１と、両シート３１０，３１１間に介在配置された該弾性フィラメントとしての弾性部材３１２とを含んで構成されている。斯かる構成を有する伸縮性の疎水性シート３１Ｅは、例えば、特開２００９−６１７４３号公報に記載の方法に従って製造することができる。
【００５８】
伸縮性の疎水性シート３１Ｅを構成する２枚のシート３１０，３１１は、何れも伸長可能なものである。シート３１０，３１１は、弾性部材３１２の延びる方向（横方向Ｙ）と同方向に伸長可能になっている。伸長可能とは、（イ）シート３１０，３１１の構成繊維自体が伸長する場合と、ロ）構成繊維自体は伸長しなくても、交点において結合していた繊維どうしが離れたり、繊維どうしの結合等により複数本の繊維で形成された立体構造が構造的に変化したり、構成繊維がちぎれたりして、シート３１０，３１１全体として伸長する場合とを包含する。
【００５９】
伸縮性の疎水性シート３１Ｅを構成する弾性部材３１２は、弾性樹脂が溶融又は軟化した状態で延伸されて形成された弾性フィラメントである。複数の弾性部材３１２は、それぞれ、シート３１の全長（外装体３の横方向Ｙの全長）に亘って実質的に連続している。複数の弾性部材３１２は、互いに交差せずに一方向（横方向Ｙ）に延びるように配列している。弾性部材３１２は、実質的に非伸長状態で２枚のシート３１０，３１１に接合されている。シート３１における弾性部材３１２のシート３１０，３１１との接合は、シート３１０，３１１を構成する繊維（非弾性繊維）が弾性部材３１２中に埋没した状態で該弾性部材３１２に融着することによりなされたものであり、ホットメルト型接着剤等の接着剤を用いてなされたものではない。従って、シート３１０，３１１（非弾性繊維を主体とする伸長可能な繊維層）とこれに接合されている弾性部材３１２との間には接着剤が存在しない。
【００６０】
伸縮性の疎水性シート３１Ｅは、弾性部材３１２の延びる方向（横方向Ｙ）と同方向に伸縮可能になっている。シート３１Ｅの伸縮性は、弾性部材３１２の弾性に起因して発現する。シート３１Ｅを弾性部材３１２の延びる方向と同方向に引き伸ばすと、弾性部材３１２及びシート３１０，３１１が伸長する。そしてシート３１Ｅの引き伸ばしを解除すると、弾性部材３１２が収縮し、その収縮に連れてシート３１０，３１１が引き伸ばし前の状態に復帰する。また、シート３１Ｅにおいては、弾性部材３１２と直交した状態で結合している他の弾性部材は存在していないので、シート３１を、弾性部材３１２の延びる方向（横方向Ｙ）と同方向に引き伸ばしたときには、シート３１Ｅが横方向Ｙに縮む、いわゆる幅縮みをほとんど起こさずに伸長する。
【００６１】
伸縮性の疎水性シート３１Ｅを構成する２枚のシート３１０，３１１は、それぞれ、短繊維の不織布であり得る。不織布としては、エアスルー不織布、ヒートロール不織布、スパンレース不織布、スパンボンド不織布、メルトブローン不織布等が挙げられる。シート３１０とシート３１１とは、同種のものでも良く、あるいは異種のものでも良い。ここで言う、「同種のシート」とは、シートの製造プロセス、シートの構成繊維の種類、構成繊維の繊維径や長さ、シートの厚みや坪量等がすべて同じであるシートどうしを意味する。これらのうちの少なくとも１つが異なる場合には、「異種のシート」である。
【００６２】
伸縮性の疎水性シート３１Ｅを構成する弾性部材３１２（弾性フィラメント）は、例えば熱可塑性エラストマーやゴム等を原料とするものである。特に熱可塑性エラストマーを原料として用いると、通常の熱可塑性樹脂と同様に押出機を用いた溶融紡糸が可能であり、またそのようにして得られた弾性フィラメントは熱融着させやすいので、シート３２Ａに好適である。熱可塑性エラストマーとしては、例えば、ＳＢＳ（スチレン−ブタジエン−スチレン）、ＳＩＳ（スチレン−イソプレン−スチレン）、ＳＥＢＳ（スチレン−エチレン−ブタジエン−スチレン）、ＳＥＰＳ（スチレン−エチレン−プロピレン−スチレン）等のスチレン系エラストマー、オレフィン系エラストマー（エチレン系のα−オレフィンエラストマー、エチレン・ブテン・オクテン等を共重合したプロピレン系エラストマー）、ポリエステル系エラストマー、ポリウレタン系エラストマー等が挙げられ、これらの１種を単独で又は２種以上を組み合わせて用いることができる。また、これらの樹脂からなる芯鞘型又はサイド・バイ・サイド型の複合繊維を用いることもできる。
【００６３】
一方、外装体３を構成する外層シート３１及び内層シート３２は、前述したように、何れも伸縮性を有していない非伸縮性シートである。本明細書において「非伸縮性シート」は、前記＜伸長回復率の測定方法＞により測定した伸長回復率が２０％以下のシート、又は１００％伸長する前に破断するシートである。
【００６４】
非伸縮性の外層シート３１及び内層シート３２としては、各種製法による不織布が好ましく用いられ、例えば、スパンボンド不織布、エアスルー不織布、ニードルパンチ不織布等である。非伸縮性のシート３１，３２として用いる不織布の構成繊維としては、例えば、ポリエチレン（ＰＥ）、ポリプロピレン（ＰＰ）、ポリエチレンテレフタレート（ＰＥＴ）やポリブチレンテレフタレート（ＰＢＴ）等のポリエステル、ポリアミド等からなる繊維等が挙げられる。非伸縮性のシート３１，３２として用いる不織布を構成する繊維は、短繊維でも長繊維でも良く、親水性でも疎水性でも良い。また、芯鞘型又はサイド・バイ・サイド型の複合繊維、分割繊維、異形断面繊維、捲縮繊維、熱収縮繊維等を用いることもできる。これらの繊維は、１種を単独で又は２種以上を組み合わせて用いることができる。
【００６５】
以上、本発明をその好ましい実施形態に基づき説明したが、本発明は前記実施形態に制限されない。
例えば、前記実施形態では、表面シート２１の肌対向面の凹凸構造を構成する凸部２１０及び凹部２１１は、表面シート２１の縦方向Ｘの全長に亘って連続して畝溝構造をなしていたが、要は、横方向Ｙにおいて隣り合う凸部２１０，２１０どうしの間に位置して縦方向Ｘに延びる凹部２１１が複数形成されていれば良く、そのような畝溝構造に限定されない。
また前記実施形態では、表面シート２１は、平面視において外装体収縮領域３５に存する吸収体２３の縦方向端部２３０と重なり、且つ外装体収縮領域３５において表面シート２１の肌対向面が疎水性シート３１Ｅで被覆されていたが、本発明においては斯かる構成は必須ではない。しかしながら前述した通り、斯かる構成により、特に表面シート２１の凹凸構造の肌対向面が疎水性シート３１Ｅで被覆されることにより、尿などの排泄液がその凹凸構造を形成する凹部２１１を通って外部に漏れ出す不都合がより一層効果的に防止されるようになる。
また前記実施形態では、外層シート３２は複数枚のシートが組み合わされて構成されていたが、内層シート３１と同様に１枚の連続したシートから構成されていても良い。
また、外装体３は、腹側部に位置する外装体腹側領域及び背側部に位置する外装体背側領域とに分割されており、吸収性本体２は、前記外装体腹側領域及び前記外装体背側領域に架け渡して固定されていても良い。
前述した本発明の実施形態に関し、更に以下の付記を開示する。
【００６６】
＜１＞
着用者の腹側に配される腹側部及び背側に配される背側部とそれらの間に位置する股下部とを有すると共に、該腹側部から該股下部を介して該背側部に延びる縦方向とこれに直交する横方向とを有し、且つ
吸収体及び該吸収体の肌対向面側に配された表面シートを有する吸収性本体と、該吸収性本体の非肌対向面側に位置して該吸収性本体を固定している外装体とを有し、前記腹側部における該外装体及び前記背側部における該外装体それぞれの縦方向に沿う両側縁部どうしが接合されてウエスト開口部及び一対のレッグ開口部が形成されているパンツ型使い捨ておむつであって、
前記外装体は、前記吸収性本体から相対的に遠い側に位置する外層シートと、該吸収性本体から相対的に近い側に位置する内層シートとを含んで構成され、且つ前記腹側部及び前記背側部の少なくとも一方に、横方向に伸縮性を有する伸縮部を有し、
前記伸縮部における前記外層シートと前記内層シートとの間に、複数の胴回り弾性部材が横方向に伸長した状態で縦方向に間欠的に配されており、それら複数の胴回り弾性部材のうちの一部は、平面視において前記吸収体の縦方向端部と重なる部分を通って該縦方向端部を横方向に横断しており、
前記伸縮部の前記胴回り弾性部材の収縮により、該伸縮部が横方向に収縮した外装体収縮領域が形成され、該外装体収縮領域の肌対向面側に、縦方向に延びる畝部と溝部とが横方向に交互に配された凹凸構造が形成されており、
前記外装体収縮領域における前記外層シート及び前記内層シートの少なくとも一方は、前記吸収体の縦方向端部より縦方向外方に存する前記溝部に、厚み方向に貫通する貫通孔を有しており、
前記表面シートの肌対向面に、着用者の肌側に向かって突出する凸部が複数形成されていると共に、横方向において隣り合う該凸部どうしの間に位置して縦方向に延びる凹部が複数形成されており、複数の該凹部の少なくとも一部は、前記外装体収縮領域の前記溝部と横方向において同位置に存しているパンツ型使い捨ておむつ。
【００６７】
＜２＞
前記表面シートは、平面視において前記外装体収縮領域に存する前記吸収体の縦方向端部と重なる前記＜１＞に記載のパンツ型使い捨ておむつ。
＜３＞
前記吸収体は、吸収性材料を含む吸収性コアを有し、前記表面シートは、該吸収性コアの縦方向端部より縦方向外方に延出する部分を有し、平面視においてその表面シートの延出部と前記胴回り弾性部材とが重なる前記＜１＞又は＜２＞に記載のパンツ型使い捨ておむつ。
＜４＞
前記貫通孔は、複数の前記胴回り弾性部材のうちで平面視において前記吸収体の縦方向端部と重ならず且つ該吸収体の縦方向端部に最も近接する弾性部材と、該吸収体の縦方向端部との間に存している前記＜１＞〜＜３＞の何れか一項に記載のパンツ型使い捨ておむつ。
＜５＞
前記外層シート及び前記内層シートの双方が前記貫通孔を複数有し、双方の貫通孔の少なくとも一部どうしが重なっている前記＜１＞〜＜４＞の何れか一項に記載のパンツ型使い捨ておむつ。
＜６＞
前記外装体収縮領域において、前記外層シート及び前記内層シートは、縦方向及び横方向の両方向において間欠的に配置された複数の外装体接合部にて互いに接合され、前記胴回り弾性部材は、該外装体接合部を通らないように配されている前記＜１＞〜＜５＞の何れか一項に記載のパンツ型使い捨ておむつ。
＜７＞
前記外装体収縮領域において、前記外層シート及び前記内層シートは、縦方向及び横方向の両方向において間欠的に配置された複数の外装体接合部にて互いに接合され、前記貫通孔は、該外装体接合部を厚み方向に貫通している前記＜５＞又は＜６＞に記載のパンツ型使い捨ておむつ。
【００６８】
＜８＞
前記外層シートは、前記内層シートと同形状・同寸法の部分に加えて更に、両シートを積層した際に該内層シートの前記腹側部側の縦方向端部から外方に延出する腹側延出部と、該内層シートの前記背側部側の縦方向端部から外方に延出する背側延出部とを有している前記＜１＞〜＜７＞の何れか一項に記載のパンツ型使い捨ておむつ。
＜９＞
前記腹側延出部及び前記背側延出部は、それぞれ、前記内層シート上に配置固定された前記吸収性本体の縦方向両端部を覆うように該内層シート側に折り返されて固定されている前記＜８＞に記載のパンツ型使い捨ておむつ。
＜１０＞
前記外装体収縮領域において前記表面シートの肌対向面が疎水性シートで被覆されており、
前記疎水性シートが前記腹側延出部及び前記背側延出部である前記＜８＞又は＜９＞に記載のパンツ型使い捨ておむつ。
【００６９】
＜１１＞
前記外装体収縮領域において前記表面シートの肌対向面が疎水性シートで被覆されている前記＜１＞〜＜９＞の何れか一項に記載のパンツ型使い捨ておむつ。
＜１２＞
前記疎水性シートは、前記表面シートと前記凸部で接合され、前記凹部では接合されていない前記＜１０＞又は＜１１＞に記載のパンツ型使い捨ておむつ。
＜１３＞
前記疎水性シートと前記表面シートとの接合部は、縦方向に間欠的に配されている前記＜１２＞に記載のパンツ型使い捨ておむつ。
＜１４＞
前記疎水性シートの縦方向内方側の端部は、前記表面シートと接合されておらず、自由端部となっている前記＜１０＞〜＜１３＞の何れか一項に記載のパンツ型使い捨ておむつ。
＜１５＞
前記疎水性シートは、横方向に伸縮性を有する不織布からなる前記＜１０＞〜＜１４＞の何れか一項に記載のパンツ型使い捨ておむつ。
＜１６＞
前記疎水性シートは、前記表面シートと前記凸部の頂部で接合され、前記凹部では接合されていない前記＜１０＞〜＜１５＞の何れか一項に記載のパンツ型使い捨ておむつ。
【００７０】
＜１７＞
前記腹側部及び前記背側部は、それぞれ縦方向において、前記吸収性本体が配されていない吸収性本体非存在領域と、該領域より縦方向内方に位置する吸収性本体存在領域とに区分され、前記胴回り弾性部材は両領域に配されている前記＜１＞〜＜１６＞の何れか一項に記載のパンツ型使い捨ておむつ。
＜１８＞
前記外装体収縮領域は、前記吸収性本体非存在領域及び前記吸収性本体存在領域それぞれの全域に形成され、該吸収性本体存在領域における平面視において前記吸収性本体と重なる部位にも形成される前記＜１７＞に記載のパンツ型使い捨ておむつ。
【００７１】
＜１９＞
前記外装体収縮領域の非肌対向面側に、縦方向に延びる畝部と溝部とが横方向に交互に配された凹凸構造が形成されている前記＜１＞〜＜１８＞の何れか一項に記載のパンツ型使い捨ておむつ。
＜２０＞
前記外装体収縮領域においては、肌対向面側の前記畝部と非肌対向面側の前記畝部とが横方向において同位置にあると共に、肌対向面側の前記溝部と非肌対向面側の前記溝部とが横方向において同位置にある前記＜１９＞に記載のパンツ型使い捨ておむつ。
＜２１＞
前記腹側部及び前記背側部それぞれにおける前記外装体の縦方向に沿う両側縁部どうしが接合されて一対のサイドシール部が形成されており、複数の前記胴回り弾性部材は、それぞれ、該サイドシール部又はその近傍に位置する部分のみにおいて、前記外層シート及び前記内層シートの両方に接合されており、それ以外の部分では両シートに接合されていない前記＜１＞〜＜２０＞の何れか一項に記載のパンツ型使い捨ておむつ。
＜２２＞
前記外層シート及び前記内層シートは、それぞれ、自然状態又は着用状態において、複数の前記胴回り弾性部材に跨って縦方向に連続して延びる複数本の襞を形成し、該襞が前記畝部となり、横方向に隣り合う該襞どうしの間が前記溝部となる前記＜１＞〜＜２１＞の何れか一項に記載のパンツ型使い捨ておむつ。
【００７２】
＜２３＞
１個の前記溝部に複数の前記貫通孔が縦方向に所定間隔を置いて間欠的に配置されている前記＜１＞〜＜２２＞の何れか一項に記載のパンツ型使い捨ておむつ。
＜２４＞
前記外層シート及び前記内層シートの双方が前記貫通孔を複数有し、双方の該貫通孔の全部が１対１で互いに重なっている前記＜１＞〜＜２３＞の何れか一項に記載のパンツ型使い捨ておむつ。
＜２５＞
前記外装体収縮領域において、前記外層シート及び前記内層シートは、縦方向及び横方向の両方向において間欠的に配置された複数の外装体接合部にて互いに接合され、両シートの双方が前記貫通孔を複数有し、該外層シートの１個の該貫通孔と該内層シートの１個の該貫通孔とが該外装体接合部位置にて重なっている前記＜１＞〜＜２４＞の何れか一項に記載のパンツ型使い捨ておむつ。
＜２５＞
前記貫通孔の平面視における最大長さは、好ましくは１ｍｍ以上、さらに好ましくは１．５ｍｍ以上、そして、好ましくは５ｍｍ以下、さらに好ましくは４ｍｍ以下である前記＜１＞〜＜２５＞の何れか一項に記載のパンツ型使い捨ておむつ。
＜２６＞
前記外装体収縮領域における前記貫通孔の単位面積当たりの数は、平面視１０ｍｍ四方の正方形形状の領域の面積を基準とした場合に、好ましくは１個以上、さらに好ましくは２個以上、そして、好ましくは１５個以下、さらに好ましくは１２個以下である前記＜１＞〜＜２５＞の何れか一項に記載のパンツ型使い捨ておむつ。
＜２７＞
前記表面シートの複数の前記凹部の少なくとも一部については、該凹部の縦方向の延長線上に前記外装体収縮領域の前記溝部が存している前記＜１＞〜＜２６＞の何れか一項に記載のパンツ型使い捨ておむつ。
＜２８＞
前記表面シートの肌対向面の複数の前記凹部それぞれが、前記外装体収縮領域の複数の前記溝部と１対１で対応しており、対応する１個の該溝部と横方向において同位置に存している前記＜１＞〜＜２７＞の何れか一項に記載のパンツ型使い捨ておむつ。
【００７３】
＜２９＞
前記表面シートの肌対向面において、横方向において隣り合う前記凸部それぞれの頂部間の離間距離は、好ましくは１．５ｍｍ以上、さらに好ましくは２ｍｍ以上、そして、好ましくは５ｍｍ以下、さらに好ましくは４．５ｍｍ以下である前記＜１＞〜＜２８＞の何れか一項に記載のパンツ型使い捨ておむつ。
＜３０＞
前記凹部の縦方向長さは、好ましくは７ｍｍ以上、さらに好ましくは１０ｍｍ以上、そして、好ましくは６０ｍｍ以下、さらに好ましくは５０ｍｍ以下である前記＜１＞〜＜２９＞の何れか一項に記載のパンツ型使い捨ておむつ。
＜３１＞
前記腹側部又は前記背側部に存する前記胴回り弾性部材の数は、好ましくは１０本以上、さらに好ましくは１２本以上、そして、好ましくは３５本以下、さらに好ましくは３０本以下である前記＜１＞〜＜３０＞の何れか一項に記載のパンツ型使い捨ておむつ。
＜３２＞
前記腹側部又は前記背側部において、平面視において前記吸収体と重なる部分を通って該吸収体を横方向に横断する前記胴回り弾性部材の数は、好ましくは１本以上、そして、好ましくは１５本以下、さらに好ましくは１２本以下である前記＜１＞〜＜３１＞の何れか一項に記載のパンツ型使い捨ておむつ。
【符号の説明】
【００７４】
１  パンツ型使い捨ておむつ
１Ａ  腹側部
１Ｂ  股下部
１Ｃ  背側部
２  吸収性本体
２Ｘ  吸収性本体の縦方向端
２１  表面シート
２１０  凸部
２１１  凹部
２２  裏面シート
２３  吸収体
２３０  吸収体の縦方向端部
２４  吸収性コア
２５  コアラップシート
２８  防漏カフ
３  外装体
３Ｘ  外装体の縦方向端
３１  外層シート
３１０，３１１  繊維シート
３１２  弾性フィラメント
３１Ｅ  外層シートの延出部（疎水性シート）
３２  内層シート
３３，３３’  貫通孔
３５  外装体収縮領域
３６  畝部
３７  溝部
３８  外装体接合部
４  レッグ弾性部材
５，５’  胴回り弾性部材
６  疎水性シートと表面シートとの接合部
１０  吸収性本体非存在領域
１１  吸収性本体存在領域
Ｘ  縦方向
Ｙ  横方向
【図１】
2017099854.tif 000003
【図２】
2017099854.tif 000004
【図３】
2017099854.tif 000005
【図４】
2017099854.tif 000006
【図５】
2017099854.tif 000007
【図６】
2017099854.tif 000008
【図７】
2017099854.tif 000009
【図８】
2017099854.tif 000010
【図９】
2017099854.tif 000011
【図１０】
2017099854.tif 000012